(57)【特許請求の範囲】
【請求項１】
一定の圧力で吸引を行う吸引源に接続され、吸引圧の調整を行う吸引圧調整装置であって、
該吸引圧調整装置は、設定圧力以上になると自動で開通し、開通時の吸引圧がそれぞれ異なる複数の圧力調整流路を有し、吸引経路の内圧変化に対応して、各圧力調整流路の開通及び閉塞を段階的に行うことで吸引圧を調整することを特徴とする、吸引圧調整装置。
【請求項２】
前記圧力調整流路は、前記吸引経路の内圧上昇に伴って、吸引圧の小さい圧力調整流路から順次開通し、前記吸引経路の内圧低下に伴って、吸引圧の大きい圧力調整流路から順次閉塞することを特徴とする、請求項１に記載の吸引圧調整装置。
【請求項３】
前記圧力調整流路は、それぞれ、前記吸引経路の内圧が前記吸引圧調整装置により調整した吸引圧以上になったときに開通し、前記吸引経路の内圧が前記吸引圧調整装置により調整した吸引圧未満になったときに閉塞することを特徴とする、請求項２に記載の吸引圧調整装置。
【請求項４】
前記圧力調整流路の開通及び閉塞は、開閉弁によって行われることを特徴とする、請求項１〜３のいずれか１項に記載の吸引圧調整装置。
【請求項５】
前記圧力調整流路の開通時の吸引圧の大きさは、絞り弁によって調整されることを特徴とする請求項１〜４のいずれか１項に記載の吸引圧調整装置。
【請求項６】
前記吸引源と、前記吸引圧調整装置との間に、最大吸引圧を調節するためのレギュレータをさらに備えることを特徴とする、請求項１〜５のいずれか１項に記載の吸引圧調整装置。
【発明の詳細な説明】
【技術分野】
【０００１】
本発明は、吸引圧調整装置、特に、複雑な制御を行うことなく、自動的に吸引圧を調整できる吸引圧調整装置に関する。
【背景技術】
【０００２】
従来、体内で産生される分泌物がうまく体外に排出されない患者に対し、機械的に吸引を行い体外へと排出する処置が行われている。その際、吸引チューブを体内（例えば、腹腔、胸腔、口腔、気管等）に留置又は挿入し、該チューブを吸引装置に接続することで、分泌物を吸引し、体外へと排出している。【０００３】
ただし、分泌物を吸い出す際、吸引装置の設定吸引圧が大きすぎる場合には、ドレーンチューブの吸引口に粘膜や体壁等が吸いつき、分泌物が吸えなくなったり、器官や組織の損傷を招くという問題があった。また、設定吸引圧が小さすぎる場合には、高い粘度の分泌物を吸引しきれないという問題があった。【０００４】
そのため、上記問題を解決するべく、分泌物吸引のための吸引圧を調整する技術が開発されている。
例えば、特許文献１には、気管内に先端部が留置され、該気管内で発生した痰を吸引する吸引チューブと、該吸引チューブに連通され、前記痰を吸引する負圧力を発生させるポンプ手段とを備えた気管内痰の吸引装置であって、前記吸引チューブに、該吸引チューブの内圧を検出する圧力センサを設け、前記吸引チューブと、前記気管内に溜まった痰を、前記ポンプ手段より高い吸引力で吸い出す補助ポンプとを連通させ、前記吸引チューブの内圧が正常な痰吸引時より高い状態を圧力センサが検出した際に、前記ポンプ手段の吸引力を高めるか、前記補助ポンプを作動させる吸引装置が開示されている。
また、特許文献２には、気管内に留置される気管カニューレに接続して、気管内に発生する痰を持続的に吸引する持続吸引ラインと、分泌物を随時吸引する随時吸引ラインと、前記吸引装置と、前記持続吸引ラインおよび前記随時吸引ラインとの間に、吸引圧の変動に対応する変動対応型圧力レギュレータと、を備え、前記随時吸引ラインに、吸引圧を制御する圧力レギュレータを設ける技術が開示されている。
【先行技術文献】
【特許文献】
【０００５】
【特許文献１】特許第４８８９４９１号明細書
【特許文献２】特許第５４３６８９９号明細書
【発明の概要】
【発明が解決しようとする課題】
【０００６】
しかしながら、特許文献１の技術については、圧力センサの検出値に対応してポンプの作動や強弱を制御するための制御機能を必要とするが、当該制御機能は非常に複雑な構成であり、吸引装置の製造コスト及びメンテナンスコストの点で、さらなる改善の必要があり、簡単な制御機能を用いた場合には、吸引圧の調整をうまく行うことができないという問題があった。
また、特許文献２の技術についても、吸引圧を制御するレギュレータの構成が非常に複雑となるため、吸引装置の製造コスト及びメンテナンスコストの点で、さらなる改善の必要があった。【０００７】
そのため、本発明は、複雑な制御を行うことなく、自動的に吸引圧を調整できる吸引圧調整装置を提供することを目的とする。
【課題を解決するための手段】
【０００８】
本発明者は、一定の圧力で吸引を行う吸引源に接続され、吸引圧の調整を行う吸引圧調整装置について、前記課題を解決するべく検討を行った結果、設定圧力以上になると自動で開通し、開通時の吸引圧がそれぞれ異なる複数の圧力調整流路を設け、吸引経路の内圧変化に対応して、各圧力調整流路の開通及び閉塞を段階的に行うようにすることで、別途制御装置等を用いたり、人手を介した圧力調整を行うことなく、自動的に吸引圧を調整できることを見出し、本発明を完成するに至った。【０００９】
本発明は、このような知見に基づきなされたもので、その要旨は以下の通りである。
本発明の吸引圧調整装置は、一定の圧力で吸引を行う吸引源と、該吸引源に接続され、吸引圧の調整を行う装置であって、該吸引圧調整装置は、設定圧力以上になると自動で開通し、開通時の吸引圧がそれぞれ異なる複数の圧力調整流路を有し、吸引経路の内圧変化に対応して、各圧力調整流路の開通及び閉塞を段階的に行うことで吸引圧を調整することを特徴とする。
上記構成を採用することで、複雑な制御を行うことなく、自動的に吸引圧を調整できる。【００１０】
また、前記圧力調整流路は、前記吸引経路の内圧上昇に伴って、吸引圧の小さい圧力調整流路から順次開通し、前記吸引経路の内圧低下に伴って、吸引圧の大きい圧力調整流路から順次閉塞することが好ましく、前記各圧力調整流路は、それぞれ、前記吸引経路の内圧が調整された吸引圧以上になったときに開通し、前記吸引経路の内圧が調整された吸引圧を下回ったときに閉塞することがより好ましい。
上記構成を採用することで、より確実に吸引圧の調整を行える。【００１１】
さらに、前記圧力調整流路の開通及び閉塞は、開閉弁によって行われることが好ましい。
上記構成を採用することで、比較的容易且つ確実に、前記圧力調整流路の開通及び閉塞を行うことができる。【００１２】
さらにまた、記圧力調整流路の開通時の吸引圧の大きさは、絞り弁によって調整されてもよい。
上記構成を採用することで、各圧力調整流路の吸引圧の設定を確実に行うことができる。【００１３】
さらに、前記吸引源と、前記吸引圧調整装置との間に、最大吸引圧を調節するためのレギュレータをさらに備えることが好ましい。
上記構成を採用することで、前記吸引圧調整装置にかかる負担を軽減できる。
【発明の効果】
【００１４】
本発明の吸引圧調整装置によれば、複雑な制御を行うことなく、自動的に吸引圧を調整できる。
【図面の簡単な説明】
【００１５】
【図１】本発明の吸引圧調整装置の一実施形態について、構成を模式的に示した図である。
【図２】本発明の吸引圧調整装置の他の実施形態について、構成を模式的に示した図である。
【図３】患者の気管内に気管カニューレの一実施形態を留置した状態を示す側面断面図である。
【図４】（ａ）は、本発明の吸引圧調整装置の他の実施形態について構成を模式的に示した図であり、（ｂ）は、（ａ）の各圧力調整流路の開閉機構を拡大して示した図である。
【図５】患者の気管内に気管カニューレの別の一実施形態を留置した状態を示す側面断面図である。
【発明を実施するための形態】
【００１６】
（吸引圧調整装置）
以下、本発明による吸引圧調整装置について、必要に応じて図面を用いて具体的に説明する。
【００１７】
本発明の吸引圧調整装置２０は、図１に示すように、一定の圧力Ｐ０で吸引を行う吸引源１０と、該吸引源１０に接続され、吸引圧の調整を行うための装置である。
そして、前記吸引圧調整装置２０は、設定圧力以上になると自動で開通し、開通時の吸引圧Ｐ１〜Ｐ４がそれぞれ異なる複数の圧力調整流路２１ａ〜２１ｄを有し、吸引経路内圧変化Ｐに対応して、各圧力調整流路２１ａ〜２１ｄの開通及び閉塞を段階的に行うことで吸引圧を調整することを特徴とする。
【００１８】
前記吸引経路の内圧変化Ｐに対応して、前記吸引圧調整装置２０の各圧力調整流路２１ａ〜２１ｄの開通及び閉塞が段階的に行われ、自動的に吸引圧の強弱が切り替わるため、制御装置等や、人手による圧力調整を行わなくとも、分泌物吸引のための吸引圧を高精度に調整できる。
【００１９】
なお、前記吸引圧については陰圧であるものの、本明細書では、「吸引圧が大きい」ことが「吸引時の陰圧が大きい（負の値が大きい）」ことを意味し、より吸引力が強いことを示す。例えば、吸引圧が−10kPaと−5kPaとの場合では、−10kPaのほうが、吸引圧が大きく、吸引力が強いことを意味する。
図１に示す本発明の実施形態では、前記吸引源１０の吸引圧Ｐ０が最も大きく、一番下に位置する圧力調整流路２１ａの吸引圧Ｐ１が最も小さい。吸引圧を大きい順に並べると以下の通りである。
Ｐ０＞Ｐ４＞Ｐ３＞Ｐ２＞Ｐ１
【００２０】
また、前記吸引経路の内圧Ｐとは、吸引によって生じた吸引経路中の陰圧のことであり、具体的には、図１に示すように、前記吸引圧調整装置２０の人体側に接続された吸引チューブ４１における内圧のことである。吸引経路の内圧Ｐが吸引圧よりも小さい場合には、吸引が十分に行われている状況を示し、吸引経路の内圧Ｐが吸引圧よりも大きい場合には、何らかの理由によって吸引が十分に行えていないことを示す。該吸引経路の内圧Ｐの測定については、例えば、吸引チューブ４１の一部に圧力測定装置（図示せず）を設けることによって、測定することができ、圧力測定装置については、特に限定はされず、公知の圧力装置を適宜使用することが可能である。
【００２１】
前記複数の圧力調整流路２１ａ〜２１ｄは、吸引経路内圧変化Ｐに対応して、開通時の吸引圧Ｐ１〜Ｐ４がそれぞれ異なる圧力調整流路２１ａ〜２１ｄの開通及び閉塞を段階的に行うことで吸引圧の調整ができれば、特に限定はされない。
ただし、容易且つ高精度に吸引圧の調整を行うことができる点から、前記圧力調整流路２１ａ〜２１ｄは、前記吸引経路の内圧Ｐの上昇に伴って、吸引圧の小さい圧力調整流路から順次開通し、前記吸引経路の内圧Ｐの低下に伴って、吸引圧の大きい圧力調整流路から順次閉塞することが好ましい。図１に示す実施形態の場合には、前記吸引経路の内圧Ｐの上昇に伴って、圧力調整流路Ｐ１→Ｐ２→Ｐ３→Ｐ４の順番に開通することになる。
【００２２】
さらに、よりスムーズな圧力調整が行える点から、前記圧力調整流路２１ａ〜２１ｄは、それぞれ、前記吸引経路の内圧Ｐが前記吸引圧調整装置２０によって調整された吸引圧（図１では、Ｐ１、Ｐ２、Ｐ３又はＰ４）以上となったときに開通し、前記各圧力調整流路２１ａ〜２１ｄの閉塞は、前記吸引経路の内圧Ｐが前記吸引圧調整装置２０によって調整された吸引圧（図１では、Ｐ１、Ｐ２、Ｐ３又はＰ４）を下回ったときに閉塞することがより好ましい。例えば、前記圧力調整流路２１ａのみが開通した状態であり、Ｐ１の吸引圧で吸引を行っている場合、吸引経路の内圧ＰがＰ１に達すると、次の吸引経路２１ｂが開通し、Ｐ２の吸引圧で吸引を行う。これによって、段階的な吸引圧の調整をスムーズに行うことができる。
【００２３】
前記圧力調整流路２１ａ〜２１ｄの開通及び閉塞については、設定圧力以上になると自動で圧力調整流路を開通させることができる機構できれば特に限定はされない。圧力に応じて開閉する開閉弁や圧力を感知して開閉動作を行うからくりのようなものが挙げられるが、確実且つ比較的容易に前記圧力調整流路の開通及び閉塞を行える点からは、開閉弁を使用することが好ましい。
ここで、前記開閉弁とは、設定圧力に応じて開閉を行うリリーフ弁のことであり、具体的には、ダイアフラムバルブ、ニードルバルブ、バタフライバルブ、ゲートバルブ、グローブバルブ、チャッキバルブ、ボールバルブ、Λポートバルブ、ソレノイドバルブ等が挙げられる。
また、前記開閉弁については、各々独立して開通及び閉塞を行うことができることが好ましい。記圧力調整流路２１ａ〜２１ｄについては、それぞれ独立して開通及び閉塞が行われるためである。
【００２４】
ここで、図１の実施形態を用いて、本発明の吸引圧調整装置による吸引圧調整の流れを具体的に説明する。
（１）前記吸引源１０は、一定の吸引圧Ｐ０で吸引を行っている。そして、前記吸引圧調整装置２０については、吸引経路の内圧Ｐが小さい場合、つまり、吸引対象となる分泌物がほとんどない場合には、最も小さい吸引圧の圧力調整流路２１ａのみが開通した状態であり、全体として吸引圧をＰ１に調整した状態で吸引を行う。
（２）その後、吸引対象となる分泌物の粘度が高くなる等の理由によって、吸引経路の内圧Ｐが上昇し、現在の調整された１番小さい吸引圧Ｐ１以上となった場合には、２番目に小さい吸引圧の圧力調整流路２１ｂの開閉弁２２ｂが開き、圧力調整流路２１ｂが開通する。該圧力調整流路２１ｂが開通したときの吸引圧はＰ２であり、全体として吸引圧はＰ２に調整される。
（３）また、さらに吸引対象となる分泌物が多くなったり、分泌物の粘度がさらに高くなった場合、吸引経路の内圧Ｐがさらに上昇する。内圧Ｐが調整された２番目に小さい吸引圧Ｐ２以上となったとき、３番目に小さい吸引圧の圧力調整流路２１ｃの開閉弁２２ｃが開き、圧力調整流路２１ｃが開通する。該圧力調整流路２１ｃが開通したときの吸引圧はＰ３であり、全体として吸引圧はＰ３に調整される。
（４）さらに、分泌物の粘度が極めて高く、吸引経路の内圧Ｐがさらに上昇し、内圧Ｐが調整された３番目に小さい吸引圧Ｐ３以上となった場合には、最も大きい吸引圧の圧力調整流路２１ｄの開閉弁２２ｄが開き、圧力調整流路２１ｄが開通する。該圧力調整流路２１ｄが開通したときの吸引圧はＰ４であり、全体として吸引圧はＰ４に調整される。
（５）その後、分泌物の吸引が進んだ結果、吸引経路の内圧Ｐが低下し、内圧Ｐが調整された吸引圧Ｐ３未満となった場合には、圧力調整流路２１ｄの開閉弁２２ｄが閉じて、圧力調整流路２１ｄが閉塞する。該圧力調整流路２１ｄが閉塞したときの吸引圧はＰ３であり、全体として吸引圧はＰ３に調整される。さらに、吸引経路の内圧Ｐが低下した場合には、開閉弁２２ｃ、２２ｂは順次閉じていき、各圧力調整流路２１ｃ、２１ｂが閉塞する。
【００２５】
上述した図１の実施形態について、吸引経路の内圧Ｐと、開通した圧力調整流路２１ａ〜ｄ及び全体としての吸引圧Ｐ１〜Ｐ４との関係をまとめると、以下の通りである。
【表１】
0006603672.tif 000002
【００２６】
なお、前記開閉弁以外の、前記圧力調整流路２１ａ〜２１ｃの開通及び閉塞を行う機構については、例えば図４（ａ）及び（ｂ）に示すような開閉機構２４が挙げられる。
該開閉機構２４では、前記吸引経路の内圧Ｐの大きさに応じて、移動栓２４ａが移動する（図４（ａ）及び（ｂ）では下向きの矢印方向に移動する）ことによって、各圧力調整流路２１ａ〜２１ｃの開通及び閉塞を段階的に行うことができる。
【００２７】
より具体的には、図４（ｂ）に示すように、前記開閉機構２４が、前記圧力調整流路２１ａ〜２１ｃの開通及び閉塞のための蓋の役目をする移動栓２４ａ、前記内圧Ｐに応じて該移動栓２４ａを移動させるためのバネ部２４ｂ、及び、該移動栓２４ａを固定するための固定部２４ｃを備える。そして、吸引経路の内圧Ｐが小さい場合には、最も小さい吸引圧の圧力調整流路２１ａのみが開通した状態であり、バネ部２４ｂによって、前記移動栓２４ａは上まで移動させられている。その後、吸引経路の内圧Ｐの上昇に伴って、前記移動栓２４ａは下方向（矢印方向）へと引っ張られ、圧力調整流路２１ｂ、２１ｃが順次開通する。一方、内圧Ｐの低下が始まると、前記バネ部２４ｂによって前記移動栓２４ａが再び上へと押し込まれるため、前記圧力調整流路２１ｂ、２１ｃが順次閉塞する。
【００２８】
また、前記各圧力調整流路２１ａ〜ｄの開通時の吸引圧の大きさは、種々の方法によって調整することができる。例えば、各圧力調整流路２１ａ〜ｄの断面積の大きさを変えたり、各圧力調整流路２１ａ〜ｄ中に障害物を設けたり、図２に示すように、絞り弁２３ａ〜２３ｄを用いることによって、ガスの流量を変え、吸引圧の大きさを調整することが可能である。ただし、それらの調整方法の中でも、前記絞り弁２３ａ〜２３ｄを用いて前記各圧力調整流路２１ａ〜ｄの開通時の吸引圧の大きさを調整することが好ましい。絞り弁を用いることで、各圧力調整流路２１ａ〜ｄの吸引圧を確実に調整でき、細かい調整も可能となるためである。
なお、前記絞り弁とは、流路を絞ることによって流体の量を調節する弁のことをいう。
【００２９】
さらに、前記吸引圧調整装置２０を構成する前記各圧力調整流路２１ａ〜ｄの吸引圧の差は、特に限定されない。前記各圧力調整流路２１ａ〜ｄについて、圧力調整流路同士の吸引圧差を全て同一にすることもできるし、吸引圧差の小さな部分と、吸引圧差の大きな部分とを設けても良い。例えば、比較的高い圧力では細かい圧力調整を行うべく、圧力調整流路同士の吸引圧差が小さくなるようにし、比較的低い圧力では吸引する力を短い時間で大きくできるように圧力調整流路同士の吸引圧差が大きくなるようにすることもできる。
【００３０】
なお、特に限定はされないものの、前記圧力調整流路２１には、逆止弁（図示せず）を設けてもよい。ガスの逆流を防止することができるため、より安全に前記分泌物の吸引を行うことができるためである。
【００３１】
また、前記吸引圧調整装置２０を構成する前記圧力調整流路の数については、特に限定はされない。図１では、説明の便宜のため、４本の圧力調整流路２１ａ〜ｄからなる場合を示しているが、例えば、図２に示すように、５本の圧力調整流路２１ａ〜ｅからなってよく、より細かな吸引圧調整を必要とする場合には、前記吸引圧調整装置２０をより多くの本数の圧力調整流路から構成することも可能である。
【００３２】
本発明の吸引圧調整装置２０と接続される吸引源１０については、特に限定はされず、一般的に使用される吸引源を用いることができる。ここで、吸引源１０とは、一定の圧力Ｐ０で吸引を行う機構のことであり、医療機関等では、図１に示すように、壁の内部に設けられた吸引設備が該当する。
【００３３】
なお、前記吸引源１０と、前記吸引圧調整装置２０とは、管４０によって、直接、又は、必要に応じて種々の装置を介して接続されているが、図２に示すように、前記吸引源１０と、前記吸引圧調整装置２０との間に、吸引圧を小さくする（図２では、Ｐ０→Ｐ０´に抑える）ためのレギュレータ５０をさらに設けることが好ましい。前記吸引源１０の吸引圧力は非常に大きく、前記吸引圧調整装置２０と直接接続する場合、吸引圧調整装置２０にかかる負担が大きくなり、吸引圧調整装置２０による圧力調整が難しくなる場合があるが、前記吸引源１０と、前記吸引圧調整装置２０との間にレギュレータを設け、吸引圧を一定圧に抑えることによって、上述した問題を解消できるためである。
【００３４】
さらに、本発明の吸引圧調整装置を用いる場合、特に限定はされないが、図１に示すように、吸引設備の中に、吸引した分泌物を回収するための回収器３０を備えることが好ましい。該回収器３０を備えることで、前記分泌物を吸引しながら回収を行うことができ、分泌物が圧力調整流路２１ａ〜ｄへ流入するのを防ぐことができるためである。
なお、前記回収器３０については、前記分泌物を確実に回収することができるものであれば必要に応じて公知の回収器を用いることができる。
【００３５】
（吸引方法）
前記分泌物の吸引方法については、本発明の吸引圧調整装置を備えた吸引設備を使用して吸引を行う。
例えば、図３に示すように、気管カニューレ６０に本発明の吸引圧調整装置を接続することで、前記分泌物の吸引を行うことが可能である。
【００３６】
本発明の吸引圧調整装置を用いて吸引を行うことによって、患者の気管内に発生した痰や、誤嚥した唾液等の分泌物を持続的に吸引するため、気管等の体内に不用な分泌物が溜まる回数が減るとともに、分泌物が溜まる度に随時吸引を行うという労力を軽減することが可能となる。また、患者の体内に発生した分泌物を吸引するための吸引圧は、上述したように調整が行われているため、患者の粘膜や器官等を傷つけるおそれはない。
その他、本発明の吸引方法を採用することで、随時吸引により、気管内に溜まった痰や口腔内の唾液等の分泌物を、必要に応じて随時吸引することも可能である。
【００３７】
ここで、気管カニューレ６０は、図３に示すように、患者の気管内に留置させて、送気および排気を行うため呼吸路６１が形成された側面視略Ｊ字形状に湾曲した管腔状部材である。前記呼吸路６１の一端側には、人工呼吸装置に接続された人工呼吸チューブの他端側が着脱可能に接続できる。なお、気管カニューレ６０は、先端側の外周面にカフ６２を備えることが望ましい。カフ６２は、気体を流入することによって膨張可能な部材であって、図示しないカフ用チューブで気体を流入して膨張させることにより、気管内に気管カニューレ６０を固定させることができる。
【００３８】
前記気管カニューレ６０の分泌物吸引チューブ６３は、細管状のチューブであり、一端側は接続部が設けられており、その接続部を介して、本発明の吸引圧調整装置（具体的には吸引チューブ４１）と接続している。また、分泌物吸引チューブ６３の他端側は、気管カニューレ６０のカフ６２の肺側（下流側）であって、気管カニューレ６０の下部側（食道側）の外周面に位置するように設けられている。これにより、前記吸引チューブ４１が分泌物吸引チューブ６３を吸引することによって、気管内に生じる痰を吸引することが可能となる。また、前記分泌物吸引チューブ６３の他端側は、気管カニューレ６０の呼吸路６１内に位置するように設けられている。これにより、呼吸路６１内に溜まった痰を吸引することも可能となる。なお、図３に示す分泌物吸引チューブ６３は、気管カニューレ６０の呼吸路を形成する管壁に埋設されているが、これに限るものではなく、分泌物吸引チューブ６３を形成する細管状のチューブが気管カニューレ６０の外周面、若しくは、気管カニューレ６０の内周面側である呼吸路６１内に設けられていてもよい。
また、カフ６２を有さない気管カニューレ６０を使用して、分泌物を吸引すると同時に口腔内から流入した唾液を吸引してもよい。
【００３９】
なお、気管内に溜まった痰や口腔内の唾液等の分泌物を、随時吸引する場合には、例えば図３に示すように、気管カニューレ内の吸引チューブ４１、又は、口腔側から直接挿入した吸引チューブ４１によって吸引を行うことが可能である。
【００４０】
さらに、前記気管カニューレ６０は、図５に示すように、カフ６２の口腔側（上流側）に唾液吸入チューブ６４をさらに設けたものであってもよい。
該唾液吸入チューブ６４は、前記分泌物吸引チューブ６３と同様に細管状のチューブであり、その接続部を介して、本発明の吸引圧調整装置（具体的には吸引チューブ４１）と接続している。また、唾液吸入チューブ６４の他端側は、図５に示すように、気管カニューレ６０のカフ６２の口腔側（上流側）であって、気管カニューレ６０の外周面に位置するように設けられている。これにより、前記吸引チューブ４１が唾液吸入チューブ６４を吸引することによって、気管内でカフ６２の口腔側（上流側）に溜まった痰や誤嚥した唾液等を吸引することが可能となる。また、図５に示す唾液吸入チューブ６４は、気管カニューレ６０の呼吸路を形成する管壁に埋設されているが、これに限るものではなく、唾液吸引チューブ６４を形成する細管状のチューブが気管カニューレ６０の外周面、若しくは、気管カニューレ６０の内周面側である呼吸路６１内に設けられていてもよい。
【産業上の利用可能性】
【００４１】
本発明の吸引圧調整装置によれば、複雑な制御を行うことなく、自動的に吸引圧を調整できる。そのため、従来技術を用いた場合に比べて、より低コストで且つ確実性の高い分泌物の吸引が可能となる。
【符号の説明】
【００４２】
１０              吸引源
２０              吸引圧調整装置
２１、２１ａ、２１ｂ、２１ｃ、２１ｄ、２１ｅ    圧力調整流路
２２、２２ｂ、２２ｃ、２２ｄ、２２ｅ            開閉弁
２３、２３ａ、２３ｂ、２３ｃ、２３ｄ            絞り弁
２４              開閉機構
２４ａ            開閉栓
２４ｂ            バネ部
２４ｃ            固定部
３０              回収器
４０              管
４１              吸引チューブ
５０              レギュレータ
６０              気管カニューレ
６１              呼吸路
６２              カフ
６３              分泌物吸引チューブ
６４              唾液吸入チューブ
Ｐ                吸引経路の内圧
Ｐ０、Ｐ０´、Ｐ１、Ｐ２、Ｐ４、Ｐ５            吸引圧
【図１】
0006603672.tif 000003
【図２】
0006603672.tif 000004
【図３】
0006603672.tif 000005
【図４】
0006603672.tif 000006
【図５】
0006603672.tif 000007